(57)【特許請求の範囲】
【請求項１】
直列接続された第１の種類の複数のＬＥＤ光源および直列接続された第２の種類の複数のＬＥＤ光源と、
実装面に、前記第１の種類の複数のＬＥＤ光源および前記第２の種類の複数のＬＥＤ光源が実装される基板と、を有し、
前記第１の種類の複数のＬＥＤ光源および前記第２の種類の複数のＬＥＤ光源の各々はレンズを備え、
前記第１の種類の複数のＬＥＤ光源および前記第２の種類の複数のＬＥＤ光源が、偶数個毎に交互に、同一の直線上または同一の円上に一列に配置されると共に、
直列接続された前記第１の種類の複数のＬＥＤ光源の各々は、アノードの位置とカソードの位置とが交互に入れ替わるように配置され、
直列接続された前記第２の種類の複数のＬＥＤ光源の各々は、アノードの位置とカソードの位置とが交互に入れ替わるように配置される照明装置。
【請求項２】
請求項１に記載の照明装置において、
直列接続されている前記第１の種類の複数のＬＥＤ光源および前記第２の種類の複数のＬＥＤ光源の、各々のアノード側に接続される第１のコネクタと、直列接続されている前記第１の種類の複数のＬＥＤ光源および前記第２の種類の複数のＬＥＤ光源の、各々のカソード側に接続される第２のコネクタと、を有し、
前記第１、第２のコネクタの各々は、前記第１の種類の複数のＬＥＤ光源のうちの一つと、その一つに隣接する前記第２の種類の複数のＬＥＤ光源のうちの一つとの間に配置される照明装置。
【請求項３】
請求項１または請求項２に記載の照明装置を用いた照明器具。
【発明の詳細な説明】
【技術分野】
【０００１】
本発明は、ＬＥＤ（発光ダイオード）を光源として用い、主に天井面に取り付けられて下方を照明する照明装置および照明器具に関するものである。
【背景技術】
【０００２】
従来から、ＬＥＤ光源を有する照明装置が用いられている（例えば、特許文献１参照）。
図１３に示すように、特許文献１に記載の照明装置１００は、ケーシング１０３、照明ユニット１０１およびカバー１０２を有する。
照明ユニット１０１は、基板１０４、複数のＬＥＤ光源１０５および反射部材１０６を有し、複数のＬＥＤ光源１０５は、基板１０４上に列状に実装されている。反射部材１０６は、基板１０４上に設けられており、複数のＬＥＤ光源１０５を囲んでいる。
カバー１０２は透光性を有していて、照明ユニット１０１の照射方向前方に設けられており、ケーシング１０３に固定されている。カバー１０２は、起伏のある表面性状の端部１０２Ａを有しており、ＬＥＤ光源１０５から放射された光を散乱させる。
このように、複数のＬＥＤ光源１０５を列状に実装した場合、カバー１０２の端部１０２Ａに起伏を設けることにより、照明装置１００の端部における照度のむらを改善している。
【先行技術文献】
【特許文献】
【０００３】
【特許文献１】特開２０１０-５６０４５号公報（第５図）
【発明の概要】
【発明が解決しようとする課題】
【０００４】
しかしながら、前述した特許文献１に記載の照明装置１００では、端部の光は散乱されるが、端部の輝度は中央部に比べて明らかに低下しており、配光に関する問題が根本解決されていない。
また、ＬＥＤ光源１０５を基板１０４の上に列状に配置した場合、各々のＬＥＤ光源１０５の配光ばらつきが考えられるという問題がある。
【０００５】
本発明は、従来の問題を解決するためになされたもので、簡単な構成でＬＥＤ光源の配光の偏りをなくす照明装置および照明器具を提供することを目的とする。
【課題を解決するための手段】
【０００６】
本発明の照明装置は、直列接続された第１の種類の複数のＬＥＤ光源および直列接続された第２の種類の複数のＬＥＤ光源と、実装面に、前記第１の種類の複数のＬＥＤ光源および前記第２の種類の複数のＬＥＤ光源が実装される基板と、を有し、前記第１の種類の複数のＬＥＤ光源および前記第２の種類の複数のＬＥＤ光源の各々はレンズを備え、前記第１の種類の複数のＬＥＤ光源および前記第２の種類の複数のＬＥＤ光源が、偶数個毎に交互に、同一の直線上または同一の円上に一列に配置されると共に、直列接続された前記第１の種類の複数のＬＥＤ光源の各々は、アノードの位置とカソードの位置とが交互に入れ替わるように配置され、直列接続された前記第２の種類の複数のＬＥＤ光源の各々は、アノードの位置とカソードの位置とが交互に入れ替わるように配置されるものである。
【０００９】
また、本発明の照明装置は、直列接続されている前記第１の種類の複数のＬＥＤ光源および前記第２の種類の複数のＬＥＤ光源の、各々のアノード側に接続される第１のコネクタと、直列接続されている前記第１の種類の複数のＬＥＤ光源および前記第２の種類の複数のＬＥＤ光源の、各々のカソード側に接続される第２のコネクタと、を有し、前記第１、第２のコネクタの各々は、前記第１の種類の複数のＬＥＤ光源のうちの一つと、その一つに隣接する前記第２の種類の複数のＬＥＤ光源のうちの一つとの間に配置されるものである。
【００１０】
さらに、本発明の照明器具は、前述した照明装置を用いたものである。
【発明の効果】
【００１１】
本発明は、少なくとも一対の隣り合うＬＥＤ光源の配置を、各々のＬＥＤ光源のアノードとカソードの位置が交互に入れ替わる向きに配置したため、各々のＬＥＤ光源の配光ずれを打ち消し合うことができ、照明装置の配光が偏ることを防ぐことができるという効果を有する照明装置および照明器具を提供できる。
【図面の簡単な説明】
【００１２】
【図１】第１実施形態の照明器具を下方から見た全体斜視図
【図２】第１実施形態の照明器具を下方から見た分解斜視図
【図３】第１実施形態の照明器具の中心を通る断面図
【図４】第１実施形態の照明器具を上方から見た平面図
【図５】第１実施形態のＬＥＤユニットを示す平面図
【図６】第１実施形態のＬＥＤユニットの配線を示す平面図
【図７】図６中Ａ部分の拡大平面図
【図８】単一のＬＥＤ光源を備えるＬＥＤユニットの配置を示す図７相当の平面図
【図９】第１実施形態のＬＥＤユニットを連結接続した場合を示す部分平面図
【図１０】第２実施形態のＬＥＤユニットを示す平面図
【図１１】図１０中Ｂ部分の拡大平面図であり、異なる２種類のＬＥＤ光源を備えるＬＥＤユニットの配置
【図１２】単一のＬＥＤ光源を備えるＬＥＤユニットの配置を示す図１１相当の平面図平面図
【図１３】従来の照明装置の分解斜視図
【発明を実施するための形態】
【００１３】
（第１実施形態）
以下、本発明に係る実施形態の照明器具について、図面を用いて説明する。
なお、以下の説明においては、照明器具を被取付面である天井面に取り付けて下方を照明する場合について説明する。従って、特に示す場合を除き、上（上方、上側等）は天井面側を意味し、下（下方，下側等）は床面側を意味する。
【００１４】
図１に示すように、本発明に係る実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する例えば正方形の板状の器具本体２０を有する。
【００１５】
器具本体２０の上側（すなわち、天井面１１側）には、照明装置３０（以下、ＬＥＤユニット３０と呼ぶ）であるアッパーユニット３０Ａ、上枠２３および上パネル２２が設けられている。また、器具本体２０の下側（すなわち、照明方向側）には、ＬＥＤユニット３０であるロアーユニット３０Ｂ、反射部材である反射板２４が設けられており、反射板２４の下方には、受けた光を拡散する透光性のパネル２５が取り付けられる。
パネル２５は、例えば正方形状をしており、対向する端部には、光を透過しないパネルカバー２５１が設けられている。
【００１６】
次に、アッパーユニット３０Ａおよびロアーユニット３０Ｂに用いられるＬＥＤユニット３０について説明する。
なお、以下においては、特にアッパーユニット３０Ａおよびロアーユニット３０Ｂを区別する場合を除き、ＬＥＤユニット３０として説明する。
図４に示すように、アッパーユニット３０Ａは、器具本体２０の上側において、四方外向きに設けられている。また、ロアーユニット３０Ｂは、器具本体２０の下側において、２カ所に設けられており、内側へ光を照射するようになっている。
【００１７】
図３に示すように、上述したＬＥＤユニット３０を用いた照明器具１０では、器具本体２０の下側に設けられているロアーユニット３０Ｂから照明器具１０の内部に向かって発せられた光Ｌ１は、反射板２４で下方に反射してパネル２５に入射して拡散する。これにより、パネル２５全体が光源となって下方を照明する。
一方、器具本体２０の上側に設けられているアッパーユニット３０Ａから照明器具１０の外側へ発せられた光Ｌ２は、天井面１１へ照射される。
【００１８】
図５および図６に示すように、ＬＥＤユニット３０は、例えば細長い矩形状の基板３１を有しており、その実装面３１１には、種類が異なる複数の第１のＬＥＤ光源３２Ａと複数の第２のＬＥＤ光源３２Ｂが実装されている。なお、２種類のＬＥＤ光源３２Ａ、３２Ｂを総称する際には、「ＬＥＤ光源３２」と表示する。
また、実装面３１１において、長手方向の基板両端から見て端部のＬＥＤ光源３２より内側の位置に、電気配線が接続されて電力の供給を受ける電気接続部としてのコネクタ３３が取り付けられる。
複数の第１のＬＥＤ光源３２Ａは、第１の回路３４Ａにより直列に接続されており、複数の第２のＬＥＤ光源３２Ｂは、第１のＬＥＤ光源３２Ａとは別系統で、第２の回路３４Ｂにより直列に接続されている。
【００１９】
従って、第１のＬＥＤ光源３２Ａと第２のＬＥＤ光源３２Ｂは、個別に制御可能となっている。
また、第１の回路３４Ａと第２の回路３４Ｂとは別個であり、例えば、クランク状に配線することができる。このとき、第１の回路３４Ａおよび第２の回路３４Ｂのクランク形状が、平行となるように配線する。
【００２０】
第１のＬＥＤ光源３２Ａと第２のＬＥＤ光源３２Ｂは、一部を除き各々偶数個（ここでは、例えば２個）をひとかたまりとして、交互に配置されている。そして、端部においては、その隣（内側）に配設されたＬＥＤ光源３２とは異なる種類のＬＥＤ光源３２が配設される。
例えば、図５中、下端部では、端部に第１のＬＥＤ光源３２Ａが配設されているので、その隣には、異なる種類の第２のＬＥＤ光源３２Ｂが配設される。
【００２１】
ここで、図５中のＡ部および図６中Ａ部を拡大した図７に示すように、ＬＥＤ光源３２は、シリコン樹脂からなるレンズ３２１を有する。このレンズ３２１は、製造時のばらつきによりある一方向へずれて取り付けられている場合がある。例えば、図７に示すように、レンズ３２１がカソードマーク３２２Ａ側（図７において右側）へずれている場合、ＬＥＤ光源３２の配光はカソード３２２側へずれる。
このため、図７に示すように、ＬＥＤユニット３０では、各々のＬＥＤ光源３２を同一線ＳＴ上に配置し、かつ同一線ＳＴに対して隣り合う少なくとも一対のＬＥＤ光源３２のアノード３２３の位置とカソード３２２の位置とが、左右（図７において左右）に交互に入れ替わる向きに配置して接続する。これにより、各々のＬＥＤ光源３２の配光ずれを打ち消し合う。
【００２２】
以上、説明した本発明に係る第１実施形態の照明装置３０によれば、基板３１に実装される複数のＬＥＤ光源３２のうち少なくとも一対の隣り合うＬＥＤ光源３２の配置を、各々のＬＥＤ光源３２のアノード３２３の位置とカソード３２２の位置とが交互に入れ替わる向きに配置した。
このため、各々のＬＥＤ光源３２の配光ずれを打ち消し合うことができ、ＬＥＤユニット３０の配光が偏ることを防ぐことができる。
【００２３】
複数のＬＥＤ光源３２を同一線ＳＴ上に配置して、この同一線ＳＴに沿ってＬＥＤ光源３２のアノード３２３の位置とカソード３２２の位置とが同一線ＳＴに対して左右交互に入れ替わる向きに配置した。このため、各々のＬＥＤ光源３２の配光ずれを打ち消し合うことができ、ＬＥＤユニット３０の配光が偏ることを防ぐことができる。
【００２４】
コネクタ３３の配置を、基板３１の端部から見てＬＥＤ光源３２より内側にしたため、ＬＥＤユニット３０を連結した場合、繋ぎ目の輝度低減を防ぐことができ、輝度ムラが更に軽減され、配光の偏りを防ぐことができる。
【００２５】
以上、説明した本発明に係る第１実施形態の照明器具１０によれば、前述したＬＥＤユニット３０を用いた。すなわち、基板３１に実装される複数のＬＥＤ光源３２のうち少なくとも一対の隣り合うＬＥＤ光源３２の配置を、各々のＬＥＤ光源３２のアノード３２３の位置とカソード３２２の位置とが交互に入れ替わる向きに配置した。このため、各々のＬＥＤ光源３２の配光ずれを打ち消し合うことができ、ＬＥＤユニット３０の配光が偏ることを防ぐことができる。
【００２６】
また、偶数の第１のＬＥＤ光源３２Ａと偶数の前記第２のＬＥＤ光源３２Ｂとを交互に配置したので、ＬＥＤユニット３０におけるパターン配線を短くして接続できる。
さらに、チップジャンパー抵抗等の部品も削減できるので、コストアップを回避できるとともに、ＬＥＤユニット３０として基板３１の表裏両面をパターン印刷に用いる必要がないので、ＬＥＤユニット３０の実装面３１１と反対側の面を放熱に利用できる。
【００２７】
なお、本発明のＬＥＤユニット３０は、種類が異なる複数の第１のＬＥＤ光源３２Ａと複数の第２のＬＥＤ光源３２Ｂが実装されている場合に限らず、図８に示すように、単一の複数の第１のＬＥＤ光源３２Ａだけで構成されている場合でも適用可能である。
さらに、図９に示すように、コネクタ３３を基板３１の長手方向の両端から見てＬＥＤ光源３２より内側の位置に配置した。このため、ロアーユニット３０Ｂを器具本体２０の下側において、２カ所に連結して設けた場合、繋ぎ目の輝度低減を防ぐことができ、輝度ムラが更に軽減され、配光の偏りを防ぐ効果がある。
【００２８】
（第２実施形態）
次に、本発明に係る第２実施形態について説明する。
なお、前述した第１実施形態に係る照明装置（ＬＥＤユニット）３０および照明器具１０と共通する部位には同じ符号を付して、重複する説明を省略することとする。
図１０に示すように、ＬＥＤユニット３５は略円形状であり、実装面３１１には、種類が異なる複数の第１のＬＥＤ光源３２Ａと複数の第２のＬＥＤ光源３２Ｂが実装されている。なお、２種類のＬＥＤ光源３２Ａ、３２Ｂを総称する際には、「ＬＥＤ光源３２」と表示する。
【００２９】
また、実装面３１１には、電気配線が接続されて電力の供給を受ける一対のコネクタ３３が取り付けられる。
複数の第１のＬＥＤ光源３２Ａは、第１の回路３４Ａ（図１１参照）により直列に接続されており、複数の第２のＬＥＤ光源３２Ｂは、第１のＬＥＤ光源３２Ａとは別系統で、第２の回路３４Ｂ（図１１参照）により直列に接続されている。
従って、第１のＬＥＤ光源３２Ａと第２のＬＥＤ光源３２Ｂは、個別に制御可能となっている。
【００３０】
第１のＬＥＤ光源３２Ａと第２のＬＥＤ光源３２Ｂは、一部を除き各々偶数個（ここでは、例えば２個）をひとかたまりとして、交互に配置されている。
図１０中におけるＢ部を拡大した図１１に示すように、ＬＥＤ光源３２がシリコン樹脂からなるレンズ３２１を備えており、レンズ３２１が製造時のばらつきによりある一方向へずれて取り付けられている場合がある。
例えば、図１１に示すように、レンズ３２１がカソードマーク３２２Ａ側へずれていた場合、ＬＥＤ光源３２の配光はカソード３２２側へずれる。
【００３１】
そこで、種類が異なる第１のＬＥＤ光源３２Ａと第２のＬＥＤ光源３２Ｂとを有するＬＥＤユニット３５において、複数の第１のＬＥＤ光源３２Ａを直列に接続するとともに複数の第２のＬＥＤ光源３２Ｂを第１のＬＥＤ光源３２Ａとは別系統で直列に接続する。
そして、各々のＬＥＤ光源３２を同一円Ｒ１上に配置し、かつ同一円Ｒ１に対して隣り合う少なくとも一対のＬＥＤ光源３２のアノード３２３の位置とカソード３２２の位置とが、左右交互に入れ替わる向きに配置して接続する。これにより、各々のＬＥＤ光源３２の配光ずれを打ち消し合う。
なお、ＬＥＤユニット３５は、種類が異なる複数の第１のＬＥＤ光源３２Ａと複数の第２のＬＥＤ光源３２Ｂが実装されている場合に限らず、図１２に示すように、単一の複数の第１のＬＥＤ光源３２Ａだけで構成されている場合にも適用可能である。
【００３２】
以上、説明した本発明に係る第２実施形態の照明装置３５および照明器具１０によれば、複数のＬＥＤ光源３２を同一円Ｒ１上に配置して、この同一円Ｒ１に沿ってＬＥＤ光源３２のアノード３２３の位置とカソード３２２の位置とが同一円Ｒ１に対して左右交互に入れ替わる向きに配置した。
このため、各々のＬＥＤ光源３２の配光ずれを打ち消し合うことができ、照明装置３５の配光が偏ることを防ぐことができる。
【００３３】
なお、本発明の照明装置および照明器具は、前述した各実施形態に限定されるものでなく、適宜な変形，改良等が可能である。
【符号の説明】
【００３４】
１０  照明器具
３０，３５  ＬＥＤユニット（照明装置）
３１  基板
３２  ＬＥＤ光源
３２２  カソード
３２３  アノード
３３  コネクタ（電気接続部）
ＳＴ  同一線
Ｒ１  同一円
【図１】
0005830678.tif 000002
【図２】
0005830678.tif 000003
【図３】
0005830678.tif 000004
【図４】
0005830678.tif 000005
【図５】
0005830678.tif 000006
【図６】
0005830678.tif 000007
【図７】
0005830678.tif 000008
【図８】
0005830678.tif 000009
【図９】
0005830678.tif 000010
【図１０】
0005830678.tif 000011
【図１１】
0005830678.tif 000012
【図１２】
0005830678.tif 000013
【図１３】
0005830678.tif 000014